(57)【要約】【課題】  抵抗膜式タッチパネルは、上部フィルム４を指やペンなどで押すことにより上部フィルム抵抗体と下部抵抗体を、接触させることにより、位置検出させるものである。タッチパネルと筐体窓枠部分２は、筐体窓枠部分に外力がかかっても誤入力防止の為に０．２ｍｍから０．５ｍｍ程度の空間１３が設けられている。屋外などのホコリや砂が多い環境でタッチパネル表面に異物が付着し、それを拭き取ろうとして、異物１２が上記空間に入ってしまい異物１２がタッチパネル上部フィルムを押すことにより、誤入力の原因になることが多発している。【解決手段】本発明は、タッチパネル表面と筐体窓枠との空間に、ゴミ、異物の混入を防止する目的で、外周部少なくとも２辺に筐体窓枠部分まで覆うように凸部分を設けた事を特徴とするタッチパネル用プラスチック保護フィルムである。【選択図】        図１
2006236296.tif 000002
【特許請求の範囲】
【請求項１】
抵抗体が内部に形成された上下の基板を利用して、ＸＹの座標入力が可能なタッチパネルを利用した装置で、タッチパネル表面と筐体窓枠との空間に、ゴミ、異物の混入を防止すのため、この空間の入り口を防ぐ目的で、外周部の少なくとも２辺に筐体窓枠部分まで覆うように凸部分を設けた事を特徴とするタッチパネル用プラスチック保護フィルム。凸部の長さは空間の入り口をふさぐ為に十分な長さであれば良い。
【請求項２】
前記タッチパネル用プラスチック保護フィルムで、上面下面少なくとも一方にハード−コート層を形成したもの
【請求項３】
前記タッチパネル用プラスチック保護フィルムで、フィルム基板又はハードコート下面にタッチパネル表面と保護フィルムを密着させることを目的とした粘着層を形成したもの
【請求項４】
前記タッチパネル用プラスチック保護フィルムで、フィルム基板又はハードコート下面にタッチパネル表面と保護フィルムを密着させることを目的とした粘着層を形成し、凸部裏面に筐体窓枠部分と保護フィルムを密着する為の粘着層を形成したもの
【請求項５】
前記タッチパネル用プラスチック保護フィルムで、保護フィルム基材は厚み０．０１５ｍｍから０．３５ｍｍまでの範囲で、ハードコート層と粘着層を合わせた総厚は０．０４ｍｍから０．６ｍｍの範囲のものとする。
【発明の詳細な説明】
【技術分野】
【０００１】  本発明は、タッチパネルのプラスチック表面保護フィルムに関するものであり、タッチパネルを利用した装置のタッチパネル表面と筐体窓枠との空間に、ゴミ、異物の混入を防止する目的で、この空間の入り口に、外周部の少なくとも２辺に筐体窓枠部分まで覆うように凸部分を設けた事を特徴とするタッチパネル用プラスチック保護フィルムである。
【背景技術】
【０００２】  従来電子手帳、ＰＤＡ（パーソナルデータアシスタント），ゲーム機などに採用されている抵抗膜式タッチパネルには、タッチパネルの表面フィルムの傷防止として、プラスチック保護フィルムが使用されている。プラスチック保護フィルムは平板のフィルム状で、表面に傷防止のハードコート層を形成し、裏面に密着用粘着層が形成されたものであり、基材は厚み０．１５ｍｍから０．３ｍｍ程度のプラスチックフィルムである。大きさは交換可能なために筐体窓枠のサイズと同じか少し小さいものが使用されている。
【発明の開示】
【発明が解決しようとする課題】
【０００３】  抵抗膜式タッチパネルは、上部フィルム４を指やペンなどで押すことにより上部フィルム下面抵抗体と下部基板上面抵抗体を、接触させることにより、位置検出させるものである。タッチパネルと筐体窓枠部分２は、筐体窓枠部分に外力がかかっても誤入力防止の為に０．２ｍｍから０．５ｍｍ程度の空間１３が設けられている。屋外などのホコリや砂が多い環境でタッチパネル表面に異物が付着し、それを拭き取ろうとして、異物１２が上記空間に入ってしまい異物１２がタッチパネル上部フィルムを押すことにより、誤入力の原因になることが多発している（図５参照）。従来の平板状保護フィルムでは、タッチパネル表面と筐体窓枠との空間に、ゴミ、異物の混入があった場合は誤入力に対して何も解決にならなかった。
【課題を解決するための手段】
【０００４】  この課題を解決するために請求項１の発明は、タッチパネル表面と筐体窓枠との空間に、ゴミ、異物の混入を防止する目的で、外周部少なくとも２辺に筐体窓枠部分まで覆うように凸部分を設けた事を特徴とするタッチパネル用プラスチック保護フィルムである。凸部の長さは空間の入り口をふさぐ為に十分な長さであれば良い。【０００５】また、請求項２の発明は、前記タッチパネル用保護フィルムで、表面又は下面の傷防止効果を付加するため又は反りを少なくするためにハードコート層を形成したものである。また、最表面には反射防止効果のある層や防汚効果のある層を形成することもある。【０００６】また、請求項３の発明は、前記タッチパネル用保護フィルムで、タッチパネルと保護フィルムを固定するために下面に粘着材層を形成したものである。【０００７】  また、請求項４の発明は、前記タッチパネル用保護フィルムで、表面の傷防止効果を付加するために表面にハードコート層、タッチパネルと保護フィルムを固定するために下面に粘着材層を形成し、筐体窓枠と保護フィルムを固定して、異物混入をより防止するために凸部裏面にも筐体窓枠部分と保護フィルムを密着する為の粘着材層を形成したものである。【０００８】  また、請求項５の発明は、前記タッチパネル用プラスチック保護フィルムで、保護フィルム基材は厚み０．０１５ｍｍから０．３５ｍｍまでの範囲で、ハードコート層と粘着層を合わせた総厚は０．０２ｍｍから０．６ｍｍの範囲のものである。
【発明を実施するための最良の形態】
【０００９】  本発明のプラスチック保護フィルムを図面に基づいて説明する。図１は表面の傷防止機能を付加させる為にプラスチック保護フィルムを使用した断面図である。タッチパネル表面４と筐体窓枠２との空間１３に、ゴミ、異物の混入を防止する目的で、外周部少なくとも２辺に筐体窓枠部分まで覆うように凸部分を設けた事を特徴とするタッチパネル用プラスチック保護フィルム１で、凸部の長さは空間の入り口をふさぐ為に十分な長さであれば良く任意に変更できる。【０００１０】  また、図２は前記タッチパネル用保護フィルム１で、表面の傷防止効果を付加するために表面にハードコート層９、を形成したものである。図３はタッチパネルと保護フィルムを固定するためにタッチパネル面に粘着材層１０を形成したものである。そして図４は前記タッチパネル用保護フィルム１で、表面の傷防止効果を付加するために表面にハードコート層９、タッチパネルと保護フィルムを固定するためにタッチパネル面に粘着材層１０を形成し、筐体窓枠と保護フィルムを固定して、異物混入をより防止するために凸部裏面に筐体窓枠部分と保護フィルムを密着する為の粘着材層１１を形成したものである。【０００１１】  プラスチック保護フィルムとして、ＰＥＴ（ポリエチレンテレフタレート）、ＰＣ（ポリカーボネート）、ＰＰ（ポリプロピレン）、ＰＳ（ポリスチレン）、ポリオレフィン、ポリイミド、ポリアミドイミド、ＰＶＣ（ポリ塩化ビニル）、ナイロン、ＰＥＳ（ポリエーテルスルフォン）、ポリエステル、ＰＥＮ（ポリエチレンナフタレート）などのプラスチックが使用できる。【０００１２】  表面の傷防止機能を付加させる為に保護フィルム表面にハードコート層を形成する保護ハードコート材料として、シリコン系樹脂、アクリル系樹脂を使用する事により、傷防止効果が大きくなる。【０００１３】  保護フィルム下面のタッチパネルと接する面に固定を目的とした粘着層を形成する粘着材料として、アクリル系粘着材、シリコン系粘着材、ウレタン系粘着材が使用できる。粘着層により、タッチパネル表面と保護フィルムの間に空気層がなくなることにより、表面反射が小さくなり、透過率が大きくなることにより、ＬＣＤの表示品位の改善効果もある。【０００１４】  保護フィルム下面と筐体窓枠上部の接する面に固定を目的とした粘着層を形成した粘着材料として、アクリル系粘着材、シリコン系粘着材、ウレタン系粘着材が使用できる。【０００１５】  図５は、タッチパネル付き機器に従来の平板状プラスチック保護フィルム１を取り付けた断面図であり、保護フィルム表面にハードコート層９、粘着層１０を形成したものである。【０００１６】  図６は、従来のタッチパネル付き機器の断面図であり、筐体窓枠部２とフィルム表面の空間１３にゴミ、異物１２が入り込み、上部フィルム２が異物１２により押されることにより誤入力が発生するメカニズムを示したものである。
【図面の簡単な説明】
【０００１７】
【図１】  請求項１の形態の腰部断面図である。
【図２】  請求項２の形態の腰部断面図である。
【図３】  請求項３の形態の腰部断面図である。
【図４】  請求項４の形態の腰部断面図である。
【図５】  従来のプラスチック保護フィルムを取り付けた形態の腰部断面図である。
【図６】  従来の問題点を説明する腰部断面図である。
【符号の説明】
【０００１８】１    プラスチック保護フィルム
２    筐体窓枠
３    ゴミ防止用テープ
４    タッチパネル表面フィルム
５    タッチパネル両面テープ
６    タッチパネル下面基板
７    固定用両面テープ
８    ＬＣＤ
９    傷防止用ハードコート層
１０  粘着層
１１  粘着層
１２  異物、ゴミ、砂等
１３  タッチパネル表面と筐体窓枠との空間
【図１】
2006236296.tif 000003
【図２】
2006236296.tif 000004
【図３】
2006236296.tif 000005
【図４】
2006236296.tif 000006
【図５】
2006236296.tif 000007
【図６】
2006236296.tif 000008